(57)【要約】【課題】  産後の子豚に最適な設定温度で生育可能な方法を提供する。【解決手段】  電熱ヒータ２を内蔵したマット本体内に、マット本体の温度を検出する温度センサ６と、起動後の経過日数に応じて変化する設定温度を変更可能に入力する設定温度入力手段７と、前記温度センサ６の検出温度と設定温度とを比較して電熱ヒータ２をオン・オフ制御するコントローラ８とを備えた子豚用保温マットを使用して、前記マットの設定温度を、生まれたての子豚の日齢が０〜７日の間は子豚の体温に合わせて３６〜３８°Ｃとし、日齢が８〜１４日の間は徐々に３４〜３６°Ｃとし、これ以降は徐々に下げて行き、日齢７０日程度で２０°Ｃ付近となるように産後の経過日数に応じて温度を変化させて子豚を生育する。【選択図】  図４
2008289505.tif 000002
【特許請求の範囲】
【請求項１】
表面カバー部分に滑り止め用の凹凸面を形成したマットに電熱ヒータを内蔵し、設定温度に保温可能とした子豚用保温マットを使用し、
生まれたての子豚の日齢が０〜７日の間は３６〜３８°Ｃとし、日齢が８〜１４日の間は徐々に３４〜３６°Ｃとし、これ以降は徐々に下げて行き、日齢７０日程度で２０°Ｃ付近とする産後の経過日数に応じた温度設定により子豚の産後の成育を促すことを特徴とする子豚用保温マットを用いた子豚の産後成育方法。
【請求項２】
請求項１に記載の子豚用保温マットを用いた子豚の産後成育方法であって、
使用する前記子豚用保温マットが、
マット本体内に設置されマット本体の温度を検出する温度センサと、
設定温度を変更可能に入力する設定温度入力手段と、
前記温度センサの検出温度と設定温度とを比較して電熱ヒータをオン・オフ制御するコントローラと、
を備えた子豚用保温マットを用いた子豚の産後成育方法。
【請求項３】
請求項１に記載の子豚用保温マットを用いた子豚の産後成育方法であって、
マット本体内に設置されマット本体の温度を検出する温度センサと、
起動後の経過日数に応じて変化する設定温度を記憶した記憶手段と、
起動後の経過日数を計測するタイマと、
このタイマにより計測された経過日数に対応する設定温度を前記記憶手段から読み取りその設定温度と前記温度センサの検出温度とを比較して電熱ヒータをオン・オフ制御するコントローラと、
を備えた子豚用保温マットを用いた子豚の産後成育方法。
【請求項４】
請求項１乃至３のいずれかに記載の子豚用保温マットを用いた子豚の産後成育方法であって、
子豚用保温マットの電熱ヒータとしてカーボン線面発熱体を用いたことを特徴とする子豚用保温マットを用いた子豚の産後成育方法。
【発明の詳細な説明】
【技術分野】
【０００１】
本発明は、子豚の産後の成育を促す為の子豚用保温マットを使用した子豚の産後成育方法に関する。
【背景技術】
【０００２】
従来、養豚業の子豚用保温マットとして、特許文献１に記載の保温マット等が知られている。これらの保温マットは電熱ヒータを内蔵し、電熱ヒータをサーモスタットによりオン・オフ制御することにより一定温度に保たれ、子豚の産後の生育に適当な温度環境を提供することができる。
【特許文献１】特開平０７−２１３１８６号公報
【発明の開示】
【発明が解決しようとする課題】
【０００３】
ところで、これら子豚用保温マットの表面は、子豚のいたずらに耐えられるように、硬質の材料により形成されてその表面は平坦である。そのため、マット上に寝ていた子豚が起き上がろうとする際に、マットに足が滑って踏ん張りがきかず股裂きを起こすという問題があった。
また、子豚用保温マットの温度はサーモスタットにより一定温度に固定されているが、子豚の飼育管理の面からすると、出産後の経過日数（日齢）に応じて、温度変更をしていくことが好ましい。
例えば、日齢が０〜７日の間は親豚の体温に近い温度とし、外気温に慣れてきた日齢が８〜１４日の間は温度を下げ、更に外的環境に慣れてきた日齢が１５〜２１日の間はもう一歩温度を下げていくようにすることが好ましい。
しかしながら、従来の子豚用保温マットは、設定温度が４０°Ｃ等に一律に固定されているため日齢に応じて温度を調整することができなかった。
【課題を解決するための手段】
【０００４】
そこで上記課題を解決するために、本発明の子豚用保温マットを用いた子豚の産後成育方法における請求項１の発明にあっては、表面カバー部分に滑り止め用の凹凸面を形成したマットに電熱ヒータを内蔵し、設定温度に保温可能とした子豚用保温マットを使用し、生まれたての子豚の日齢が０〜７日の間は３６〜３８°Ｃとし、日齢が８〜１４日の間は徐々に３４〜３６°Ｃとし、これ以降は徐々に下げて行き、日齢７０日程度で２０°Ｃ付近とする子豚の日齢に応じて温度設定を調節することを特徴とする。
【０００５】
請求項２に係る発明にあっては、上記請求項１に記載の子豚用保温マットを用いた子豚の産後成育方法であって、使用する前記子豚用保温マットが、マット本体内に設置されマット本体の温度を検出する温度センサと、設定温度を変更可能に入力する設定温度入力手段と、前記温度センサの検出温度と設定温度とを比較して電熱ヒータをオン・オフ制御するコントローラと、を備えた子豚用保温マットを用いたことを特徴とする。
【０００６】
請求項３に係る発明にあっては、上記請求項に記載の子豚用保温マットを用いた子豚の産後成育方法であって、マット本体内に設置されマット本体の温度を検出する温度センサと、起動後の経過日数に応じて変化する設定温度を記憶した記憶手段と、起動後の経過日数を計測するタイマと、このタイマにより計測された経過日数に対応する設定温度を前記記憶手段から読み取りその設定温度と前記温度センサの検出温度とを比較して電熱ヒータをオン・オフ制御するコントローラと、を備えた子豚用保温マットを用いたことを特徴とする。
【０００７】
請求項４に係る発明にあっては、上記請求項１乃至３のいずれかに記載の子豚用保温マットを用いた子豚の産後成育方法であって、子豚用保温マットの電熱ヒータとしてカーボン線面発熱体を用いたことを特徴とする。
【発明の効果】
【０００８】
以上述べたように本発明の子豚用保温マットを使用した子豚の産後成育方法は、使用する子豚用保温マットは表面カバー部分に滑り止め用の凹凸面を形成したことで、子豚の足が滑らなくなり股裂きの発生が防止され、内蔵の電熱ヒータで温度を調節しつつこの子豚用保温マットを用いて、前記マットの設定温度を、生まれたての子豚の日齢が０〜７日の間は子豚の体温に合わせて３６〜３８°Ｃとし、日齢が８〜１４日の間は徐々に３４〜３６°Ｃとし、これ以降は徐々に下げて行き、日齢７０日程度で２０°Ｃ付近になるように、子豚の生育に応じて設定温度を調整することが可能となった。
【０００９】
また、使用する子豚用保温マットに設定温度を変更可能に入力する設定温度入力手段を備えたことで、子豚の生育に応じて最適な温度に容易に設定することが可能になり、さらに起動後の経過日数に応じて変化する設定温度を記憶した記憶手段を備えれば、あらかじめ必要な温度などの条件を記憶手段に記憶させてその記憶させた設定温度に基づいて電熱ヒータをオン・オフ制御するようになり、子豚用保温マットの設定温度を、生まれたての子豚の日齢が０〜７日の間は子豚の体温に合わせて３６〜３８°Ｃとし、日齢が８〜１４日の間は徐々に３４〜３６°Ｃとし、これ以降は徐々に下げて行き、日齢７０日程度で２０°Ｃ付近になるように、子豚の生育に応じて設定温度を調整することが可能となった。
【発明を実施するための最良の形態】
【００１０】
以下、図に基づいて本発明の実施形態を説明する。
図１は本発明に係る子豚用保温マットの表面カバーの一部を剥離して示した斜視図である。塩ビからなるマット本体１の上部内側部分にカーボン線面発熱体からなる電熱ヒータ２が配置され、その上に軟質の塩ビシートからなる表面カバー３が上面と側面を覆うように貼り付けられている。表面カバー３の表面には、子豚の足が滑らないように、凹凸面が形成されている。なお、図１では、電気回路の構成部品の図示を省略している。
【００１１】
図２は図１の表示に電気回路の構成部品を書き加えた状態の平面図であり、図３は図２の一部を拡大して示した断面図である。図示されるように、凹凸面が形成された表面カバー３の下側に、マット全体よりも一回り小さくカーボン線面発熱体からなる電熱ヒータ２が配置され、その電熱ヒータ２の下面でマットの幅方向の中心線上にサーモスタット４，５および温度センサ６が塩ビ樹脂からなるマット本体１内に埋設されている。これらサーモスタット４，５および温度センサ６は、コード１５により図示しないコントローラに接続されている。また、コード１５の根元部分はコードプロテクタ１６に覆われて保護されている。
【００１２】
図４は図２の子豚用保温マットの電気回路図である。２はカーボン線面発熱体からなる電熱ヒータであり、１８０Ｗ程度を使用する。４，５はコントローラ８が万一故障した場合の安全のために設けられたサーモスタットであり、動作温度５５°Ｃのものを用いる。６は温度センサであり、サーミスタ等を用いる。７はダイヤル式の可変抵抗器等からなる設定温度入力手段であり、子豚の日齢に応じた温度が手動により設定される。８はコントローラであり、設定温度入力手段７より入力された設定温度と温度センサ６が検出したマット温度とを比較して電熱ヒータ２をオン・オフ制御する。
【００１３】
すなわち、コントローラ８は、マット温度が設定温度より低ければ、電熱ヒータ２にＡＣ１００Ｖを供給し、マット温度が設定温度より高ければ、電熱ヒータ２へのＡＣ１００Ｖの供給を停止する。なお、電熱ヒータ２としてカーボン線面発熱体を用いたことで、電熱ヒータ２の一部が破損された場合のリーク電流が僅かとなる。そのため、子豚への影響は微小であり、他の直列電極タイプや面状タイプの電熱ヒータ等に比較して安全性が得られる。また、本発明では、上述したようにコントローラ８により、設定温度が変更可能となったことで、飼育者は、子豚の日齢に応じて、設定温度を細かく調整していくことが可能となる。
例えば、生まれたての日齢が０〜７日の間は子豚の高い体温に合わせて３６〜３８°Ｃとし、日齢が８〜１４日の間は徐々に外気温にも慣れ、免疫抵抗もついてきたので３４〜３６°Ｃとし、これ以降は外的環境にも慣れてきたので徐々に下げて行き、日齢７０日程度で２０°Ｃ付近とすることが可能となる。
【００１４】
図５は本発明に係る子豚用保温マットの電気回路部分の他の実施形態を示すブロック図である。図４に示したコントローラ８は、子豚の日齢に応じて、飼育者が手動で子豚に最適な設定温度を設定しなければならない煩わしさがある。そこで、本発明では、コントローラに、子豚の日齢に応じて最適な温度に自動的に設定する機能を持たせるようにした。すなわち、図５に示すように、マットの起動後の経過日数（日齢）に応じて変化する子豚に最適な設定温度を記憶した設定温度記憶手段１１と、起動後の経過日数（日齢）を計測するタイマ１２とを備え、コントローラ１３は、タイマ１２により計測された経過日数（日齢）に対応する設定温度を設定温度記憶手段１１から読み取り、その設定温度と温度センサ６の検出温度とを比較して電熱ヒータ２をオン・オフ制御する。これらの構成はＩＣ、マイクロコンピュータ、シーケンサ等により構成することが可能であり、日齢に応じて変化する設定温度は、プログラムとして入力しておく。
【００１５】
図６は本発明に係る子豚用保温マットの製造方法を示す説明図である。子豚用保温マットを製造するには、先ず、図（ａ）に示すように、完成マットより大きい軟質の塩ビシートからなる表面カバー３を凹凸面が下すなわち下向きに置き、その裏面に接着剤を用いてカーボン線面発熱体からなる電熱ヒータ２を接着する。
次に、図（ｂ）に示すように、電熱ヒータ２が接着された表面カバー３を下向きのまま型枠９内に載置し、ここで図示しないがサーモスタット４，５、温度センサ６およびそれらの配線コードを電熱ヒータ２の上に配置する。
【００１６】
次に、図（ｃ）に示すように、型枠９の内側全面に加熱軟化して餅状になった再生塩ビ１０を所定厚さに押し詰める。次に、図（ｄ）に示すように、押し詰められた塩ビが冷却硬化した後に、型枠９から取り出して周囲にはみ出ている表面カバー３の端を切断除去してマット本体を完成する。次いで、コントローラ８，１３等を取り付けて全体が完成する。
このように、本発明では、塩ビシートからなる表面カバー３の内側に電熱ヒータ２を配置してその外側を更に再生塩ビ１０で覆う構造としたことで、電熱ヒータ２を除く全体が塩ビ製となり、製造が容易となるとともに、構造的にも安定して耐久性が向上する。
特に、再生塩ビを用いることでコストダウンも可能となる。なお、当然ながら、再生塩ビでない新しい塩ビを用いて製造することも可能である。
【産業上の利用可能性】
【００１７】
本発明は子豚対象の専用保温マットを使用した子豚の産後の成育方法であるが、子豚以外の犬、猫等の小動物であってもその動物に合わせた温度設定により本発明が利用可能である。
【図面の簡単な説明】
【００１８】
【図１】本発明に係る子豚用保温マットの一部を剥離し内部を示した斜視図である。
【図２】図１に電気回路の構成部品を書き加えた状態の平面図である。
【図３】図２の一部を拡大して示した断面図である。
【図４】図２の子豚用保温マットの電気回路図である。
【図５】本発明の他の実施形態の電気回路を示すブロック図である。
【図６】本発明に係る子豚用保温マットの製造方法を示す説明図である。
【符号の説明】
【００１９】
１  マット本体
２  電熱ヒータ
３  表面カバー
４，５  サーモスタット
６  温度センサ
７  設定温度入力手段
８  コントローラ
９  型枠
１０  再生塩ビ
１１  設定温度記憶手段
１２  タイマ
１３  コントローラ
１５  コード
１６  コードプロテクタ
【図１】
2008289505.tif 000003
【図２】
2008289505.tif 000004
【図３】
2008289505.tif 000005
【図４】
2008289505.tif 000006
【図５】
2008289505.tif 000007
【図６】
2008289505.tif 000008